(57)【要約】【課題】  使用状況等によっても滑り止め部材が剥がれにくいものであって、挟持片に対して容易に取り付けを行うことができ、製造コストを削減することができる髪止め具の製造方法及び髪止め具を提供する。【解決手段】頭髪を挟持する外側挟持片と、前記外側挟持片の一端に連結される内側挟持片とからなる一対の挟持片の少なくとも前記内側挟持片に滑り止め部材を備える髪止め具の製造方法であって、前記内側挟持片に対して、前記滑り止め部材となる熱収縮性チューブを挿通する工程と、前記熱収縮性チューブに熱風を供給して熱収縮させ、前記熱収縮性チューブを前記内側挟持片に被着する工程とを備えることを特徴とする髪止め具の製造方法、及び外側挟持片と、前記外側挟持片の一端に連結される内側挟持片とからなり、頭髪を挟持する一対の挟持片と、少なくとも前記内側挟持片の外形に沿うように被着される滑り止め部材とを備えることを特徴とする髪止め具。【選択図】  図１
2017023594.tif 000002
【特許請求の範囲】
【請求項１】
頭髪を挟持する外側挟持片と、前記外側挟持片の一端に連結される内側挟持片とからなる一対の挟持片の少なくとも前記内側挟持片に滑り止め部材を備える髪止め具の製造方法であって、
前記内側挟持片に対して、前記滑り止め部材となる熱収縮性チューブを挿通する工程と、
前記熱収縮性チューブに熱風を供給して熱収縮させ、前記熱収縮性チューブを前記内側挟持片に被着する工程と、
を備えることを特徴とする髪止め具の製造方法。
【請求項２】
前記熱収縮性チューブは、径方向にのみ収縮する請求項１に記載の髪止め具の製造方法。
【請求項３】
外側挟持片と、前記外側挟持片の一端に連結される内側挟持片とからなり、頭髪を挟持する一対の挟持片と、
少なくとも前記内側挟持片の外形に沿うように被着される滑り止め部材と、
を備えることを特徴とする髪止め具。
【請求項４】
前記滑り止め部材は、前記挟持片の長手寸法より短く設定される請求項３に記載の髪止め具。
【請求項５】
前記滑り止め部材は、熱収縮性チューブとされる請求項３又は請求項４に記載の髪止め具。
【発明の詳細な説明】
【技術分野】
【０００１】
本発明は、滑り止めを備える髪止め具の製造方法及び髪止め具に関するものである。
【背景技術】
【０００２】
従来より、着用時における頭髪の滑りを防止するための滑り止めを備える髪止め具が公知である。例えば、髪を挟持する一対の挟持片を備えてなり、挟持片の挟持面が髪に対しての滑り止め構造をもつ髪止め具が公知である（特許文献１参照）。
【先行技術文献】
【特許文献】
【０００３】
【特許文献１】実用新案登録第３１５００９０号公報
【発明の概要】
【発明が解決しようとする課題】
【０００４】
しかしながら、特許文献１の構造では、滑り止め構造の滑り止め部材として、面ファスナーの面構造をもつ布シートやシリコン樹脂等のプラスチックシートが挟持片を構成する棒体に貼り付けられて固定するものであるため、使用回数が多くなったり、鞄、ポーチ等に収容している際に他の私物品と擦れたりすることで、端部から徐々に剥がれてきてしまい、滑り止め効果を奏する髪止め具として使用できなくなるものであった。
【０００５】
また、滑り止め部材は、挟持片の形状に合わせた状態で貼り付けられるものであるため、その取り付けが煩雑となり、製造コストの増加が懸念されるものであった。
【０００６】
そこで、本発明はこのような問題点を解決するものであって、使用状況等によっても滑り止め部材が剥がれにくいものであって、挟持片に対して容易に取り付けを行うことができ、製造コストを削減することができる髪止め具の製造方法及び髪止め具を提供することを課題とする。
【課題を解決するための手段】
【０００７】
前記問題点を解決するために、本発明の請求項１に記載の髪止め具の製造方法は、頭髪を挟持する外側挟持片と、前記外側挟持片の一端に連結される内側挟持片とからなる一対の挟持片の少なくとも前記内側挟持片に滑り止め部材を備える髪止め具の製造方法であって、前記内側挟持片に対して、前記滑り止め部材となる熱収縮性チューブを挿通する工程と、前記熱収縮性チューブに熱風を供給して熱収縮させ、前記熱収縮性チューブを前記内側挟持片に被着する工程とを備えることを特徴とするものである。
【０００８】
また、本発明の請求項２に記載の髪止め具の製造方法は、請求項１に記載の髪止め具の製造方法において、前記熱収縮性チューブは、径方向にのみ収縮するものである。
【０００９】
また、本発明の請求項３に記載の髪止め具は、外側挟持片と、前記外側挟持片の一端に連結される内側挟持片とからなり、頭髪を挟持する一対の挟持片と、少なくとも前記内側挟持片の外形に沿うように被着される滑り止め部材とを備えることを特徴とするものである。
【００１０】
また、本発明の請求項４に記載の髪止め具は、請求項３に記載の髪止め具において、前記滑り止め部材は、前記挟持片の長手寸法より短く設定されるものである。
【００１１】
また、本発明の請求項５に記載の髪止め具は、請求項３又は請求項４に記載の髪止め具において、前記滑り止め部材は、熱収縮性チューブとされるものである。
【発明の効果】
【００１２】
本発明の髪止め具の製造方法及び髪止め具では、使用状況等によっても滑り止め部材を剥がれにくくすることができるとともに、挟持片に対して容易に取り付けを行うことができ、製造コストを削減することができる。
【図面の簡単な説明】
【００１３】
【図１】本発明の実施例における髪止め具の斜視図である。
【図２】本発明の実施例における髪止め具の図１のＡ−Ａ端面図である。
【図３】本発明の実施例における髪止め具の滑り止め具を被着する工程図である。
【図４】本発明の別実施例における髪止め具の斜視図である。
【図５】本発明のさらに別実施例における髪止め具の斜視図である。
【発明を実施するための形態】
【００１４】
以下、本発明の実施の形態における髪止め具の製造方法及び髪止め具を図面に基づいて説明する。
【実施例】
【００１５】
本発明の実施例に係る髪止め具は、図１から図３に示すように、主に、頭髪を挟持する外側挟持片２０と、外側挟持片２０の一端に連結される内側挟持片３０とからなる一対の挟持片１０と、少なくとも内側挟持片３０の外形に沿うように被着される滑り止め部材４０とを備えて構成される。
【００１６】
一対の挟持片１０は、髪止め具を頭髪に装着した状態において、外側に位置する外側挟持片２０と、頭皮側に位置する内側挟持片３０とから構成される。
【００１７】
外側挟持片２０及び内側挟持片３０は、例えば、ステンレス等の金属板から形成され、外側挟持片２０の一端が内側挟持片３０の一端と連結部１１を介して連結されており、図３（ａ）に示すように、使用前の外側挟持片２０と内側挟持片３０とが離間した状態で、側面視にて全体として略く字状となるよう構成される。
【００１８】
また、使用時においては、連結部１１を支持した状態で外側挟持片２０を内側挟持片３０側へ押圧することにより、外側挟持片２０の弾性作用によって、外側挟持片２０を内側挟持片３０側へ湾曲させて、外側挟持片２０と内側挟持片３０との間に頭髪を挟持し得る構成としている。
【００１９】
より詳細には、外側挟持片２０は、例えば、略楕円状に形成され、略中央部が間隙１２として切り欠かれており、内側挟持片３０が間隙１２の略中央部に配設されるよう構成される。また、外側挟持片２０は、側面視にて内側挟持片３０側の下方へ凸状となるよう湾曲されるとともに、内側挟持片３０における長手方向の略中央部を山状に複数回折曲させた折曲部３２が形成され、内側挟持片３０の基端部３１にて外側挟持片２０と連結された状態となっている。
【００２０】
また、外側挟持片２０の外側に位置する表面は、皮材、合成樹脂等で覆うことで飾り部２１とすることもできる。さらに、内側挟持片３０は、長手方向に沿う長孔３３を設けることもできる。
【００２１】
また、少なくとも内側挟持片３０には、当該内側挟持片３０の外形に沿うようにして滑り止め部材４０が被着される。例えば、図２に示すように、内側挟持片３０が断面視にて、横長の矩形状に形成される場合においては、当該矩形状に沿うように密着してなる。ここで、内側挟持片３０の外形に沿うように被着するとは、滑り止め部材４０が完全に密着するものに限られず、内側挟持片３０と当該部材との間に微小な空間を有した状態で被着されるものをも含む趣旨である。
【００２２】
滑り止め部材４０は、熱収縮性チューブとされ、当該チューブを内側挟持片３０に挿通して、熱風を供給することで熱収縮させて内側挟持片３０に被着させる。より詳細には、図３（ａ）に示すように、内側挟持片３０の長手寸法より短くカットした熱収縮性チューブを内側挟持片３０に挿通し、同図（ｂ）に示すように、その周囲から熱風機等にて熱風を供給することで、当該チューブの挿通孔４１を径方向に収縮させて、内側挟持片３０の外形に沿うように被着させる。これにより、内側挟持片３０が折曲部３２を有するものであっても、当該箇所の形状に沿うようにして被着させることができる。
【００２３】
熱収縮性チューブは、例えば、ポリオレフィンからなり、Ｇ−ＡＰＥＸ熱収縮チューブ  型式Ｇ１（株式会社ハギテック社製）を使用することができる。係る際には、供給される熱風は、７０度から１００度程度、好ましくは７０度から８０度程度とされ、供給時間は１分間程度とされる。熱風の温度が７０度より低い場合には、当該チューブが収縮されないか、若しくは収縮に時間を要してしまうため、好ましくない。また、熱風の温度が１００度より高い場合には、収縮による当該チューブの外観を損ねてしまうため、好ましくない。
【００２４】
当該チューブは、頭髪との摩擦面を増やして滑り止め効果を向上させるために、挿通孔４１の径方向にのみ収縮するものが望ましいが、径方向と長手方向に収縮するものであっても十分な摩擦力が得られるものであれば、これに限られない。すなわち、滑り止め部材４０は、内側挟持片３０に対して容易に挿通させ得るために、内部に挿通孔４１を有するものであって、熱収縮可能ものであればよい趣旨である。また、当該チューブは、外側挟持片２０に被着することができるのは勿論である。
【００２５】
また、当該チューブは、有色又は無色等、特に制限されるものではない。例えば、当該チューブを透明とすることで、髪止め具としての美観、デザインを損ねることがないので望ましい。
【００２６】
以上、説明した本発明に係る髪止め具の製造方法及び髪止め具によれば、頭髪を挟持する一対の挟持片１０のうち、少なくとも内側挟持片３０の外形に沿うようにして、滑り止め部材４０が被着されるので、内側挟持片３０における頭髪が挟持される側の表面、頭皮側に位置する裏面、これら表裏面を繋ぐ側面においても、熱収縮性チューブが被着しているので、当該チューブの内側挟持片３０に接触する面積を増加させることができ、使用状況等によっても剥がれにくいものとすることができる。
【００２７】
また、内側挟持片３０に対して、当該チューブを挿通して、熱風を供給することで被着させることができるので、容易に取り付けを行うことができるとともに、製造コストを削減することができる。さらに、当該チューブを挿通し得る形状のものであれば、既存の髪止め具に用いることもできるので有用である。
【００２８】
上述した実施例において、挟持片１０を構成する外側挟持片２０、内側挟持片３０、滑り止め部材４０となる熱収縮性チューブの形状、寸法、材質等を適宜変更して実施することが可能である。例えば、外側挟持片２０と内側挟持片３０においては、連結部１１を介して内側挟持片３０を回動させる構造とすることもできる。
【００２９】
より詳細には、図４に示すように、外側挟持片２０は、連結部１１を構成する側壁２２を一端に有し、互いに向かって延設される係止片２３が夫々設けられる２つの対向する押圧部２４を他端に有し、外側位置に飾り部２１を有する構成とすることができる。また、内側挟持片３０は、側壁２２に回動可能に連結される突部３４を一端に有し、係止片２３に固定するための係合部３５を他端に有する構成とすることができる。
【００３０】
また、滑り止め部材４０においては、内側挟持片３０の長手寸法より短くカットされる熱収縮性チューブを長手方向に沿って、複数個を被着することもできる。係る際には、夫々のチューブを所定間隔を有した状態で被着することもできるし、夫々のチューブを当接させた状態とすることもできる。
【００３１】
さらには、外側挟持片２０と内側挟持片３０においては、外側挟持片２０と内側挟持片３０の夫々の操作部２５、３６を押圧することで、連結部１１を介して、両者の他端を拡開させる構造とすることもできる。より詳細には、図５に示すように、外側挟持片２０は、外側位置に外側操作部２５、内側位置に連結部１１を構成する側壁２６を一端に有し、複数個に分離された先端部を他端に有する構成とすることができる。また、内側挟持片３０は、外側位置に内側操作部３６、内側位置に対応する側壁３７を一端に有し、複数個に分離され、内側面に凹凸部３８を備える先端部を他端に有する構成とすることができる。これら外側挟持片２０と内側挟持片３０は、夫々の側壁２６、３７に巻きバネ１３を装着した枢軸１４を挿通することで連結部１１を構成することができる。
【００３２】
また、滑り止め部材４０においては、内側挟持片３０における分離片の長手寸法より短くカットされる熱収縮性チューブを長手方向に沿って夫々被着することもできるし、一方にのみ被着することもできる。また、凹凸部３８を有する内側挟持片３０においても、上記実施例と同様にして、内側挟持片３０の外形に沿うように被着されるのは勿論である。
【００３３】
また、上述した実施例において、一部構成を省略することができるし、一部抽出した構成とすることができるのは勿論である。
【符号の説明】
【００３４】
１０      挟持片
２０      外側挟持片
３０      内側挟持片
４０      滑り止め部材
【図１】
2017023594.tif 000003
【図２】
2017023594.tif 000004
【図３】
2017023594.tif 000005
【図４】
2017023594.tif 000006
【図５】
2017023594.tif 000007